(57)【要約】【課題】メディアドライブの位置決め調整を容易に行うことができるメディア処理装置を提供する。【解決手段】パブリッシャは、メディアドライブ４１とメディアドライブ用フレーム４７と位置決め機構１０６とを備え、位置決め機構１０６は、メディアドライブ用フレーム４７に対してメディアドライブ４１をメディアトレイ４１ａの進退方向にスライド可能に支持するスライド支持部１０７と、メディアドライブ用フレーム４７に対してメディアドライブ４１をスライド方向一側に付勢する捩りバネ１１５と、メディアドライブ用フレーム４７に対してメディアドライブ４１をスライド方向逆側に押圧しつつ進退させる位置調整部と、メディアドライブ用フレーム４７に対してメディアドライブ４１を固定する固定用ネジ部材１１１とを有する。【選択図】図７
2009181636.tif 000002
【特許請求の範囲】
【請求項１】
進退可能なメディアトレイを有しこのメディアトレイに保持されたメディアにデータの書き込み及び／またはデータの読み込みを行うメディアドライブと、前記メディアドライブを保持する保持部材と、前記メディアドライブを前記保持部材に対して位置決めし固定する位置決め機構とが設けられたメディア処理装置であって、
前記位置決め機構は、前記保持部材に対して前記メディアドライブを前記メディアトレイの進退方向にスライド可能に支持するスライド支持部と、前記保持部材に対して前記メディアドライブをスライド方向一側に付勢する付勢部と、前記保持部材に対して前記メディアドライブをスライド方向逆側に押圧しつつ進退させる位置調整部と、前記保持部材に対して前記メディアドライブを固定する固定部とを有するメディア処理装置。
【請求項２】
前記位置決め機構が、前記メディアドライブの左右一側に設けられていることを特徴とする請求項１に記載のメディア処理装置。
【請求項３】
前記付勢部は、前記保持部材に支持されるとともに付勢片部を前記メディアドライブの付勢方向に凹む係合凹部に係合させるものであり、
前記保持部材には、支持した前記付勢部の前記付勢片部を仮止可能な付勢方向に凹む仮止凹部が設けられ、
前記メディアドライブは、前記保持部材に対して前記付勢片部の付勢方向逆側から挿入されることで、前記仮止凹部に仮止めされていた前記付勢片部を前記係合凹部に係合させることを特徴とする請求項１または２に記載のメディア処理装置。
【発明の詳細な説明】
【技術分野】
【０００１】
本発明は、ＣＤやＤＶＤ等のメディアにデータの書き込み及び／またはデータの読み込みを行うメディアドライブが設けられたメディア処理装置に関する。
【背景技術】
【０００２】
近年、多数枚のブランクＣＤ（Compact Disc）やＤＶＤ（Digital Versatile Disc）等のメディア（情報記録媒体）にデータの書き込みを行うディスクダビング装置、データの書き込みとレーベル印刷を行ってメディアを制作して発行可能なＣＤ／ＤＶＤパブリッシャ等のメディア処理装置が用いられつつある。この種のメディア処理装置としては、メディアへデータを書き込むメディアドライブ、メディアのレーベル面に印刷を施すレーベルプリンタ及びこれらメディアドライブやレーベルプリンタに対してメディアを保持して搬送するメディア搬送機構等を備えたものが知られている（例えば、特許文献１参照）。
【０００３】
【特許文献１】米国特許第５，７３４，６２９号明細書
【発明の開示】
【発明が解決しようとする課題】
【０００４】
メディアドライブは進退可能なメディアトレイを有しており、前進したメディアトレイに対してメディア搬送機構がメディアの受け渡しを行うことになる。ところが、メディアトレイの前進位置には個々にバラツキがあることから、良好な受け渡しを行うためには、メディアドライブを保持する保持部材に対してメディアドライブをメディアトレイの進退方向に位置決め調整しなければならない。しかしながら、従来の位置決め調整作業は非常に繁雑であった。
【０００５】
そこで、本発明の目的は、メディアドライブの位置決め調整を容易に行うことができるメディア処理装置を提供することにある。
【課題を解決するための手段】
【０００６】
上記課題を解決することのできる本発明に係るメディア処理装置は、進退可能なメディアトレイを有しこのメディアトレイに保持されたメディアにデータの書き込み及び／またはデータの読み込みを行うメディアドライブと、前記メディアドライブを保持する保持部材と、前記メディアドライブを前記保持部材に対して位置決めし固定する位置決め機構とが設けられたメディア処理装置であって、前記位置決め機構は、前記保持部材に対して前記メディアドライブを前記メディアトレイの進退方向にスライド可能に支持するスライド支持部と、前記保持部材に対して前記メディアドライブをスライド方向一側に付勢する付勢部と、前記保持部材に対して前記メディアドライブをスライド方向逆側に押圧しつつ進退させる位置調整部と、前記保持部材に対して前記メディアドライブを固定する固定部とを有する。
【０００７】
この構成のメディア処理装置によれば、保持部材に対して、スライド支持部によってメディアトレイの進退方向にスライド可能に支持され、付勢部によってスライド方向一側に付勢されたメディアドライブを、位置調整部によってスライド方向逆側に押圧しつつ進退させることで位置決めを行った後、固定部によって固定することで、メディアドライブを保持部材に対して位置決めし固定することができる。このように、メディアドライブの位置決め調整を容易に行うことができる。
【０００８】
本発明に係るメディア処理装置において、前記位置決め機構が、前記メディアドライブの左右一側に設けられていることが好ましい。
この構成のメディア処理装置によれば、左右一側に設けられている位置決め機構で位置決め調整を行うことができるため、メディアドライブの位置決め調整をさらに容易に行うことができる。
【０００９】
本発明に係るメディア処理装置において、前記付勢部は、前記保持部材に支持されるとともに付勢片部を前記メディアドライブの付勢方向に凹む係合凹部に係合させるものであり、前記保持部材には、支持した前記付勢部の前記付勢片部を仮止可能な付勢方向に凹む仮止凹部が設けられ、前記メディアドライブは、前記保持部材に対して前記付勢片部の付勢方向逆側から挿入されることで、前記仮止凹部に仮止めされていた前記付勢片部を前記係合凹部に係合させることが好ましい。
この構成のメディア処理装置によれば、保持部材に支持される付勢部の付勢片部を保持部材の付勢方向に凹む仮止凹部に仮止めしておき、メディアドライブを、保持部材に対して付勢片部の付勢方向逆側から挿入すると、仮止凹部に仮止されていた付勢片部がメディアドライブの係合凹部に係合することになる。したがって、付勢部をメディアドライブに容易に係合させることができる。
【発明を実施するための最良の形態】
【００１０】
以下、本発明に係るメディア処理装置の実施形態の例を、図面を参照しつつ説明する。
なお、本実施形態では、メディア処理装置としてのパブリッシャを例示して説明する。
図１は各部を閉状態としたパブリッシャ（メディア処理装置）の外観斜視図、図２は各部を開状態としたパブリッシャの外観斜視図、図３はパブリッシャのケースを外した状態の前方上側から見た斜視図、図４はパブリッシャに設置されたレーベルプリンタ部分の斜視図である。
【００１１】
図１に示すように、パブリッシャ１は、例えばＣＤやＤＶＤ等の円板状のメディア（情報記録媒体）へのデータの書き込み及び／またはデータの読み込みやメディアのレーベル面への印刷を行うメディア処理装置であり、ほぼ直方体形状のケース２を備えている。このケース２の前面には、左右に開閉可能な開閉扉３，４が取り付けられている。ケース２の上側右（正面視左）端部には、表示ランプ、操作ボタン等が配列された操作面５が設けられており、また、ケース２の下端には、下方に突出するように載置用の脚部６が左右両側に設けられている。左右の脚部６の間位置には引出機構７が設けられている。
【００１２】
装置左（正面視右）側の開閉扉３は、図２に示すように、パブリッシャ１の前面側の開口部８を開閉するもので、例えば未使用（ブランク）のメディアＭを開口部８を介してセットする時、あるいは作成済みのメディアＭを、開口部８を介して取り出すときに、開閉する扉である。
また、装置右（正面視左）側の開閉扉４は、図３に示すレーベルプリンタ１１のインクカートリッジ１２の入れ換え時に開閉するためのものであり、この開閉扉４を開けると、鉛直方向に配列された複数のカートリッジホルダ１３を有するカートリッジ装着部１４が露出するようになっている。
【００１３】
パブリッシャ１のケース２の内部には、データ書き込み処理が行われていない複数枚（例えば５０枚）の未使用のメディアＭをスタック可能なメディア保管部としてのメディアスタッカ２１と、複数枚（例えば５０枚）の未使用のメディアＭあるいは作成済みメディアＭが保管されるメディア保管部としてのメディアスタッカ２２とが保管されるメディアＭの中心軸線が同一となるように上下に配置されている。メディアスタッカ２１及びメディアスタッカ２２は、それぞれ所定位置に対して着脱自在である。
【００１４】
上側のメディアスタッカ２１は、左右一対の円弧状の枠板２４，２５を備えており、これにより、メディアＭを上側から受け入れ、同軸に積層した状態で収容可能な構成をなしている。メディアスタッカ２１にメディアＭを収容あるいは補充する作業は、開閉扉３を開けてメディアスタッカ２１を取り出すことにより、簡単に行うことが可能となっている。
【００１５】
下側のメディアスタッカ２２も同一構造となっており、左右一対の円弧状の枠板２７，２８を備え、これによって、メディアＭを上側から受け入れ、同軸に積層した状態で収容可能なスタッカが構成されている。
【００１６】
これらのメディアスタッカ２１及びメディアスタッカ２２の後側には、メディア搬送機構３１が配置されている。メディア搬送機構３１は、本体フレーム３０とシャーシ３２の天板３３との間に垂直に架け渡されている垂直ガイド軸３５を有している。この垂直ガイド軸３５に搬送アーム３６が昇降及び旋回可能な状態で支持されている。搬送アーム３６は、駆動モータ３７によって垂直ガイド軸３５に沿って昇降可能であるとともに、垂直ガイド軸３５を中心に左右に旋回可能である。
【００１７】
上下のスタッカ２１，２２及びメディア搬送機構３１の側方の後方の部位には、上下に積層された２つのメディアドライブ４１，４１が配置され、これらメディアドライブ４１，４１の下側にレーベルプリンタ１１のキャリッジ６２（図４参照）が移動可能に配置されている。
メディアドライブ４１は、メディアＭへのデータ書き込み位置とメディアＭの受け取り受け渡しを行うメディア受け渡し位置との間で進退するように移動可能なメディアトレイ４１ａをそれぞれ有している。メディアドライブ４１は、後退状態にあるメディアトレイ４１ａ上のメディアＭにデータの書き込み等を行う。
【００１８】
また、レーベルプリンタ１１は、メディアＭのレーベル面へのレーベル印刷可能な印刷位置とメディアＭの受け取り受け渡しを行うメディア受け渡し位置との間を移動可能なメディアトレイ４５を有している。
【００１９】
図３では、上下のメディアドライブ４１のメディアトレイ４１ａが手前に引き出されてメディア受け渡し位置にある状態及び下側のレーベルプリンタ１１のメディアトレイ４５が手前側のメディア受け渡し位置にある状態が示されている。また、レーベルプリンタ１１はインクジェットプリンタであり、インク供給機構６０として各色（本実施形態ではブラック、シアン、マゼンタ、イエロー、ライトシアン、ライトマゼンタの６色）のインクカートリッジ１２が用いられ、これらのインクカートリッジ１２がカートリッジ装着部１４の各カートリッジホルダ１３に前方から装着されている。
【００２０】
ここで、メディアスタッカ２１の左右一対の枠板２４，２５の間及びメディアスタッカ２２の左右一対の枠板２７，２８の間には、メディア搬送機構３１の搬送アーム３６が昇降可能な隙間が形成されている。また、これら上下のメディアスタッカ２１とメディアスタッカ２２との間には、メディア搬送機構３１の搬送アーム３６が水平に旋回して、メディアスタッカ２２の真上に位置できるように隙間が開いている。さらに、両メディアトレイ４１ａをメディアドライブ４１に押し込むと、メディア搬送機構３１の搬送アーム３６を下降させて、メディア受け渡し位置にあるメディアトレイ４５にアクセス可能となっている。
【００２１】
メディア搬送機構３１の搬送アーム３６は、両メディアトレイ４１ａをデータ書き込み位置に位置させ、メディアトレイ４５を奥側の印刷位置に位置させた状態で、メディアトレイ４５の高さ位置よりもさらに下側まで下降可能となっている。そして、メディアトレイ４５のメディア受け渡し位置の下方には、搬送アーム３６がこの位置まで下降してリリースしたメディアＭが通過するガイド穴６５（図２参照）であって、後述するメディアスタッカが装着されるガイド穴６５が形成されている。
【００２２】
引出機構７は、本体フレーム３０の下側に、本体フレーム３０から引き出して開いたり、収納して閉じたりすることが可能な引出トレイ７０を有している。引出トレイ７０には、スタッカ部７１が下方に凹んで設けられている。引出トレイ７０が収納位置（閉位置）にあるとき、スタッカ部７１は、ガイド穴６５の下方に位置し、スタッカ部７１の中心部は、受け渡し位置にある両メディアトレイ４１ａとメディアトレイ４５の中心軸線が同一となるように配置されている。このスタッカ部７１は、ガイド穴６５を介して投入されるメディアＭを受け入れ、このメディアＭを比較的少量（例えば５枚〜１０枚程度）だけ収容する。スタッカ部７１は、メディアＭを上側から受け入れ、同軸に積層した状態で収容可能となっている。
【００２３】
収納状態にある引出トレイ７０のスタッカ部７１及びガイド穴６５には、スタッカ部７１よりもメディアＭの収容量が多いメディアスタッカ７２が着脱可能となっている（図３参照）。このメディアスタッカ７２も、一対の円弧状の枠板７３，７４を備えており、これによって、メディアＭを上側から受け入れ、同軸に積層した状態で複数枚（例えば５０枚）収容可能となっている。一対の円弧状の枠板７３，７４の間には、メディア搬送機構３１の搬送アーム３６が昇降可能な隙間が形成されている。また、一方の枠板７４の上部には着脱時にユーザによって把持される取っ手７５が設けられている。
【００２４】
従って、メディアスタッカ７２を取り付けた状態とすれば、下側のメディアスタッカ２２から未使用のメディアＭを取り出し、メディアドライブ４１及びレーベルプリンタ１１でデータ記録及び印刷を行った後に、メディアスタッカ７２に収容することができる。
また、例えば、上側のメディアスタッカ２１及び下側のメディアスタッカ２２にそれぞれの最大収容枚数（５０枚＋５０枚）の未使用のメディアＭを装填し、下側のメディアスタッカ２２の全枚数（５０枚）のメディアＭを順次処理してメディアスタッカ７２に収容し、次に、上側のメディアスタッカ２１の全枚数（５０枚）のメディアＭを順次処理して、空となった下側のメディアスタッカ２２に収容する。このようにして、上側のメディアスタッカ２１及び下側のメディアスタッカ２２の最大収容枚数（５０枚＋５０枚）のメディアＭを一度に処理する（バッチ処理モード）。
【００２５】
また、メディアスタッカ７２を取り外した状態とすれば、上側のメディアスタッカ２１あるいは下側のメディアスタッカ２２から未使用のメディアＭを取り出し、メディアドライブ４１及びレーベルプリンタ１１でデータ記録及び印刷を行った後に、収納状態にある引出トレイ７０のスタッカ部７１に収容することができる。
【００２６】
これにより、その後、引出トレイ７０を引き出すことでスタッカ部７１から処理が完了したメディアＭを取り出すことができる。つまり、メディアＭへの処理中であっても、開閉扉３を閉じたまま、処理が完了したメディアＭから順に一枚ずつあるいは複数枚ずつ取り出すことができる（外部排出モード）。
【００２７】
ここで、メディア搬送機構３１の搬送アーム３６の昇降及び左右への旋回の組み合わせ動作によって、メディアＭは、メディアスタッカ２１，２２、引出トレイ７０のスタッカ部７１（またはメディアスタッカ７２）、各メディアドライブ４１のメディアトレイ４１ａ及びレーベルプリンタ１１のメディアトレイ４５間で適宜搬送される。
【００２８】
図４に示すように、レーベルプリンタ１１はインク吐出用のノズル（図示省略）を備えたインクジェットヘッド６１を有するキャリッジ６２を備えており、このキャリッジ６２は、キャリッジモータの駆動力でキャリッジガイド軸に沿って水平方向に往復移動する（図示省略）。
【００２９】
レーベルプリンタ１１は、インクカートリッジ１２が装着されるカートリッジ装着部１４を有するインク供給機構６０を備えている。このインク供給機構６０は、縦型構造を有しており、パブリッシャ１の本体フレーム３０上に立設されて鉛直方向に配設されている。このインク供給機構６０には、可撓性を有するインク供給チューブ６３の一端が接続されており、このインク供給チューブ６３の他端は、キャリッジ６２に接続されている。
【００３０】
そして、インク供給機構６０に装着されるインクカートリッジ１２のインクは、インク供給チューブ６３を介してキャリッジ６２に供給され、このキャリッジ６２に設けられたダンパユニット及び背圧調整ユニット（図示省略）を経てインクジェットヘッド６１に供給されインクノズル（図示省略）から吐出される。
なお、インク供給機構６０には、その上部に主部を配置するように加圧機構６４が設けられており、この加圧機構６４は、圧縮空気を送り出してインクカートリッジ１２内を加圧し、インクカートリッジ１２内のインクパックに貯留しているインクを送り出す。
【００３１】
また、キャリッジ６２のホームポジション（図４に示す位置）における下方側には、ヘッドメンテナンス機構８１が設けられている。
このヘッドメンテナンス機構８１は、ホームポジションに配置されたキャリッジ６２の下面に露出するインクジェットヘッド６１のインクノズルを覆うヘッドキャップ８２と、インクジェットヘッド６１のヘッドクリーニング動作やインク充填動作によってヘッドキャップ８２に排出されたインクを吸引する廃インク吸引ポンプ８３とを備えている。
【００３２】
そして、このヘッドメンテナンス機構８１の廃インク吸引ポンプ８３によって吸引されたインクは、チューブ８４を介して、廃インク吸収タンク８５へ送り込まれる。
この廃インク吸収タンク８５は、ケース８６内に図示しない吸収材を配設したもので、その上面は、複数の通気孔８７を有するカバー８８によって覆われている。
なお、ヘッドメンテナンス機構８１の下方には、廃インク吸収タンク８５の一部である廃インク受け部８９が設けられ、ヘッドメンテナンス機構８１から滴下したインクを受け止め、吸収材によって吸収するようになっている。
【００３３】
図５は積層されたメディアドライブ及びメディアドライブ用フレームを示す斜視図、図６は図５中VI方向から見た側面図、図７は積層されたメディアドライブ及びメディアドライブ用フレームを示す斜め後から見た斜視図、図８はメディアドライブ用フレーム部分の拡大斜視図、図９は位置決め機構の前部を示す部分斜視図、図１０は位置決め機構の後部を示す部分斜視図である。なお、図５において左手前側がパブリッシャの前方、図６〜図８において左側がパブリッシャの前方、図９において右手前側がパブリッシャの前方であり、図１０において右奥側がパブリッシャの前方である。
【００３４】
図５及び図６に示すように、積層されたメディアドライブ４１は、メディアドライブ用フレーム（保持部材）４７に囲繞状態で保持されている。メディアドライブ用フレーム４７は、左右の側板４７ａ，４７ｂ及び天板４７ｃを有しており、フレーム３４（図３参照）に取り付けられるようになっている。天板４７ｃの前端は上方へ折り曲げられて取付部４７ｄが形成されており、中間フレーム３４の背面に取り付けられるようになっている。また、側板４７ａ，４７ｂにおいてメディアドライブ４１間の隙間Ｓに対応する高さ位置には、切欠き穴４７ｅが設けられている。なお、天板４７ｃの上面には、メディアドライブ４１の動作を制御するための制御機器（図示省略）が搭載されている。
【００３５】
図７及び図８示すように、メディアドライブ４１は、左右両側面（一側部のみ図示）に固定される固定部材１００をそれぞれ有している。固定部材１００は、Ｌ字状をなしており、メディアドライブ４１の一側面に当接状態で固定される固定板部１０１と、固定板部１０１の下端縁部から垂直外方に延出する延出板部１０２とを有している。延出板部１０２は、メディアトレイ４１ａの進退方向に延在している。
【００３６】
これに対して、メディアドライブ用フレーム４７には、側板４７ａ，４７ｂ（側板４７ａ側のみ図示）のそれぞれの前後上下に、内方に折り曲げられた支持板部１０４が形成されている。上側の前後の支持板部１０４は、同一の水平面内に配置されており、上側のメディアドライブ４１の固定部材１００の延出板部１０２を載置させることで、上側のメディアドライブ４１を支持する。同様に、下側の前後の支持板部１０４も、同一の水平面内に配置されており、下側のメディアドライブ４１の固定部材１００の延出板部１０２を載置させることで、下側のメディアドライブ４１を支持する。
【００３７】
メディアドライブ４１の固定部材１００及びメディアドライブ用フレーム４７には、メディアドライブ４１を個別にメディアドライブ用フレーム４７に対して位置決めし固定する位置決め機構１０６が設けられている。
【００３８】
上側のメディアドライブ４１用の位置決め機構１０６と、下側のメディアドライブ４１用の位置決め機構１０６とは略同様の構造であるため、ここでは、上側のメディアドライブ４１用の位置決め機構１０６を中心に説明する。
【００３９】
位置決め機構１０６は、メディアドライブ用フレーム４７に対してメディアドライブ４１を前後方向つまりメディアトレイ４１ａの進退方向にスライド可能に支持するスライド支持部１０７を有している。
【００４０】
このスライド支持部１０７は、メディアドライブ４１の固定部材１００の延出板部１０２に形成された、メディアトレイ４１ａの進退方向に沿う長孔からなる前後二カ所のガイド穴１０８と、メディアドライブ用フレーム４７の支持板部１０４に突設されて各ガイド穴１０８内に位置するダボ状の位置決め突起部１０９と、支持板部１０４に、位置決め突起部１０９に対して前後に隣り合って形成されたネジ穴１１０と、ガイド穴１０８に挿入されてネジ穴１１０に螺合される固定用ネジ部材（固定部）１１１とを有している。前後の位置決め突起部１０９に固定部材１００の前後のガイド穴１０８がそれぞれ案内されることで、メディアドライブ４１が左右方向に位置決めされた状態で前後方向にスライドする。
【００４１】
なお、固定用ネジ部材１１１は、ガイド穴１０８に挿通されネジ穴１１０に螺合されて締結されることでメディアドライブ４１をメディアドライブ用フレーム４７に対して固定することになり、締結が解除された状態でメディアドライブ４１のメディアドライブ用フレーム４７に対する固定を解除する。
【００４２】
ここで、下側のメディアドライブ４１用の固定用ネジ部材１１１の位置は、上側のメディアドライブ４１用の固定用ネジ部材１１１の位置と前後方向においてずれている。これは上側から挿入される螺合工具の干渉を回避するためである。そして、下側のメディアドライブ４１用の位置決め機構１０６は、位置決め突起部１０９のみが配置されるガイド穴１０８と、固定用ネジ部材１１１のみが配置されるガイド穴１０８とに分けられている。
【００４３】
図９に示すように、位置決め機構１０６は、メディアドライブ用フレーム４７の前部にあってメディアドライブ用フレーム４７に対してメディアドライブ４１の固定部材１００をスライド方向一側である後側に付勢する捩りバネ（付勢部）１１５を有している。
【００４４】
この捩りバネ１１５は、中間のコイル部１１６がメディアドライブ用フレーム４７から内側に突設された支持板部１１７に支持されており、一側の付勢片部１１８がメディアドライブ用フレーム４７の後方に向け凹む係合凹部１１９に係合されている。また、捩りバネ１１５は、他側の付勢片部１２１が、固定部材１００における延出板部１０２の前端部にあって後方に向け凹む係合凹部１２２に係合されている。これにより、捩りバネ１１５は、メディアドライブ４１を後方に付勢する。
【００４５】
ここで、メディアドライブ用フレーム４７の支持板部１０４の前端部には、後方に向け凹む仮止凹部１２４が形成されており、メディアドライブ４１を取り付ける前の状態で、捩りバネ１１５は、コイル部１１６が支持板部１１７に支持され、一側の付勢片部１１８が係合凹部１１９に係合され、他側の付勢片部１２１が仮止凹部１２４に仮止めされている。これにより、捩りバネ１１５は、自らの付勢力で、メディアドライブ用フレーム４７に脱落しないように支持されることになる。
【００４６】
そして、この状態から、メディアドライブ４１を、メディアドライブ用フレーム４７に対して前側から挿入すると、仮止凹部１２４に仮止めされていた付勢片部１２１を延出板部１０２の左右方向に位置が合う係合凹部１２２が受け取るようにして係合させることになる。この状態から、メディアドライブ４１がメディアドライブ用フレーム４７に固定されることになる。なお、メディアドライブ４１が最も後退した位置にあっても、付勢片部１２１の係合凹部１２２への係合状態が維持されて捩りバネ１１５がメディアドライブ４１を後方に付勢できるように、係合凹部１２２及び仮止凹部１２４の位置関係が設定されている。
【００４７】
図１０に示すように、位置決め機構１０６は、メディアドライブ用フレーム４７における捩りバネ１１５とは反対である後側に、メディアドライブ用フレーム４７に対してメディアドライブ４１を捩りバネ１１５の付勢力とは反対方向（スライド方向逆側）に押圧しつつ進退させる位置調整部１２５を有している。
【００４８】
この位置調整部１２５は、メディアドライブ４１の延出板部１０２の後端部から下方に折り曲げられた折曲板部１２６と、メディアドライブ用フレーム４７の後部から内方に折り曲げられた折曲板部１２７と、この折曲板部１２７に螺合されてその前側にあるメディアドライブ４１の折曲板部１２６に当接する位置調整用ネジ部材１２８とを有している。位置調整用ネジ部材１２８は、螺合位置を調整することで前後方向の位置が調整され、その結果、メディアドライブ用フレーム４７に対してメディアドライブ４１を、捩りバネ１１５との協働で前後に移動させる。この位置調整用ネジ部材１２８は、ケース２の背面パネルを取り外すことで、後方から操作可能となっている。
【００４９】
ここで、位置決め機構１０６は、前から見てメディアドライブ４１の左右一側である右側にのみ設けられている。なお、左右方向逆側については、メディアドライブ用フレーム４７の側板４７ｂの図示略の支持板部１０４に載置された固定部材１００が、前後方向に移動可能であり適宜の位置での固定が可能な構造になっている。
【００５０】
上記位置決め機構１０を有するメディアドライブ４１は、すべての固定用ネジ部材１１１の螺合が緩められると、捩りバネ１１５の付勢力で位置調整用ネジ部材１２８に当接した状態で前後移動可能になる。この状態から、位置調整用ネジ部材１２８を前進させると、メディアドライブ４１が前進し、位置調整用ネジ部材１２８を後進させると、メディアドライブ４１が後進する。このとき、前後のガイド穴部１０８，１０８内に位置する前後のガイド突起１０９，１０９によってメディアドライブ４１は左右方向にずれることなく、また水平面内で回転することなく前後進する。そして、このように前後の位置調整が終わった状態で、すべての固定用ネジ部材１１１を締めると、メディアドライブ４１がメディアドライブ用フレーム４７に固定される。
【００５１】
以上説明した本発明に係るパブリッシャ（メディア処理装置）１では、メディアドライブ用フレーム４７に対して、スライド支持部１０７によって前後にスライド可能に支持され、捩りバネ１１５によってスライド方向一側に付勢されたメディアドライブ４１を、位置調整部１２５によってスライド方向逆側に押圧しつつ進退させることで位置決めを行い、その後、固定用ネジ部材１１１によってメディアドライブ４１をメディアドライブ用フレーム４７に対して固定することで、メディアドライブ４１の位置決め調整を容易に行うことができる。
【００５２】
また、メディアドライブ４１に対して左右一側にのみ設けられている位置決め機構１０６で位置決め調整を行うことができるため、メディアドライブ４１の位置決め調整をさらに容易に行うことができる。
【００５３】
また、メディアドライブ用フレーム４７に支持される捩りバネ１１５の付勢片部１２１をメディアドライブ用フレーム４７の付勢方向に凹む仮止凹部１２４に仮止めしておき、メディアドライブ４１を、メディアドライブ用フレーム４７に対して前側から挿入すると、仮止凹部１２４に仮止されていた付勢片部１２１がメディアドライブ４１の係合凹部１２２に係合することになる。したがって、捩りバネ１１５をメディアドライブ４１に容易に係合させることができる。
【００５４】
なお、以上においては、捩りバネ１１５がメディアドライブ４１を後方向に付勢し、位置調整部１２５がこれを前方向に押圧するようにしたが、捩りバネ１１５がメディアドライブ４１を前方向に付勢し、位置調整部１２５がこれを後方向に押圧するようにしても良い。
また、本発明で用いられるメディアは、上記実施形態のメディアＭのような円板状のメディアに限定されるものではなく、矩形状等の多角形状や楕円状のメディアにも適用可能であり、また、その記録方式も、光記録方式、光磁気記録方式等、何ら限定されるものではない。
【図面の簡単な説明】
【００５５】
【図１】各部を閉状態としたパブリッシャ（メディア処理装置）の外観斜視図である。
【図２】各部を開状態としたパブリッシャの外観斜視図である。
【図３】パブリッシャのケースを外した状態の前方上側から見た斜視図である。
【図４】パブリッシャに設置されたレーベルプリンタ部分の斜視図である。
【図５】積層されたメディアドライブ及びメディアドライブ用フレームを示す斜視図である。
【図６】図５中VI方向から見た側面図である。
【図７】積層されたメディアドライブ及びメディアドライブ用フレームを示す斜め後から見た斜視図である。
【図８】メディアドライブ用フレーム部分の拡大斜視図、
【図９】位置決め機構の前部を示す部分斜視図である。
【図１０】位置決め機構の後部を示す部分斜視図である。
【符号の説明】
【００５６】
１…パブリッシャ（メディア処理装置）、４１…メディアドライブ、４１ａ…メディアトレイ、４７…メディアドライブ用フレーム（保持部材）、１０６…位置決め機構、１０７…スライド支持部、１１１…固定用ネジ部材（固定部）、１１５…捩りバネ（付勢部）、１２１…付勢片部、１２２…係合凹部、１２４…仮止凹部、１２５…位置調整部、Ｍ…メディア。
【図１】
2009181636.tif 000003
【図２】
2009181636.tif 000004
【図３】
2009181636.tif 000005
【図４】
2009181636.tif 000006
【図５】
2009181636.tif 000007
【図６】
2009181636.tif 000008
【図７】
2009181636.tif 000009
【図８】
2009181636.tif 000010
【図９】
2009181636.tif 000011
【図１０】
2009181636.tif 000012